(57)【特許請求の範囲】
【請求項１】
ロータを回転させる磁界を発生するステータの各相の巻線と電気的に接続される複数のバスリングを備え、前記複数のバスリングが互いに前記ロータの回転軸線方向に並列配置された集中配電部材であって、
前記複数のバスリングは、中性相バスリングを含み、
前記複数のバスリングはそれぞれ、周方向に設けられた複数の円弧部と、前記複数の円弧部の間において径方向の一側に突出した複数の巻線接続部とが、線状の導電部材を屈曲することによって一体に形成され、
前記中性相バスリングは、前記複数の巻線接続部がそれぞれ、前記複数の円弧部における隣り合う円弧部の各端部から前記径方向の一側に延在する一対の径方向延在部と、前記一対の径方向延在部の先端部間を連結する連結部とからなり、前記一対の径方向延在部の間に前記巻線の一端部が挿通され、
前記複数のバスリングのうち前記中性相バスリングを除く他の複数のバスリングは、前記複数の巻線接続部がそれぞれ、前記複数の円弧部における隣り合う円弧部の各端部から前記径方向の一側に延在する一対の第１径方向延在部と、前記一対の第１径方向延在部に対して前記回転軸線方向にずれた位置で前記径方向の一側に延在する一対の第２径方向延在部と、前記第１及び第２径方向延在部の間に介在する一対の介在部と、前記一対の第２径方向延在部の先端部間を連結する連結部とからなり、前記一対の第２径方向延在部の間に前記巻線の他端部が挿通され、
前記他の複数のバスリングの前記複数の巻線接続部における前記一対の介在部は、前記一対の第２径方向延在部の位置が前記回転軸線方向において前記中性相バスリングの前記複数の巻線接続部における前記一対の径方向延在部の位置に揃うように、その長さがそれぞれ異なる
集中配電部材。
【請求項２】
前記他の複数のバスリングにおける前記複数の巻線接続部はそれぞれ、前記一対の介在部が前記回転軸線方向に対して傾斜している、
請求項１に記載の集中配電部材。
【請求項３】
前記他の複数のバスリングにおける前記複数の巻線接続部はそれぞれ、前記一対の介在部が前記回転軸線に平行な方向に延伸している、
請求項１に記載の集中配電部材。
【請求項４】
前記複数のバスリングは、前記複数の巻線接続部のそれぞれに前記巻線が挿通された状態で熱加締めされることにより前記巻線と電気的に接続される、
請求項１乃至３の何れか１項に記載の集中配電部材。
【請求項５】
前記複数のバスリングは、前記熱加締め後に、前記巻線接続部を挟む前記円弧部同士が接触しない、
請求項４に記載の集中配電部材。
【発明の詳細な説明】
【技術分野】
【０００１】
本発明は、複数相の巻線に対して集配電を行う集中配電部材に関する。
【背景技術】
【０００２】
従来、電動機の集中配電部材として、ロータと同心状に配置されたステータの複数の磁性体コアに巻き回された各相の巻線に集配電（集電及び配電）する集配電部材が知られている（例えば、特許文献１参照。）。
【０００３】
特許文献１に記載された集配電部材は、各相の巻線に接続される接続端子を有する環状のバスリングを複数備え、これらのバスリングがロータの回転軸線方向にステータと並列配置されている。複数相のバスリングはそれぞれ、導体が絶縁被覆によって被覆された絶縁電線を円環状に屈曲してなるリードフレームと、リードフレームの周方向の複数箇所に接続された接続端子とを有する。接続端子は、絶縁被覆が剥がされて導体が露出した部位に、例えば熱加締め（ヒュージング）等により接続されている。
【０００４】
接続端子は、リードフレームに接続される固定部と、巻線の端部が接続される接続部と、固定部の端部からバスリングの径方向内側に向かって湾曲しながら延出して固定部と接続部とを連結する延出湾曲部とを一体に有している。接続端子の延出湾曲部の形状は、各相のバスリングで接続部における巻線の端部との接続位置がロータの回転軸線方向で同一となるように、各相のバスリングで異なっている。
【先行技術文献】
【特許文献】
【０００５】
【特許文献１】特開２００９−２６１０８２号公報
【発明の概要】
【発明が解決しようとする課題】
【０００６】
特許文献１に記載の集配電部材では、別途工程で製造された接続端子をリードフレームに接続した上で、接続端子の接続部に巻線の端部が接続されるため、作業時に手間がかかっていた。そこで、本願発明者らは、線状の導電部材を屈曲させることにより導電部材の一部を径方向に突出させ、この突出した部分に巻線の端部を接続すれば、接続端子を用いることなくバスリングに巻線の端部を直接的に接続することができるという着想を得た。
【０００７】
しかしながら、導電部材の一部を径方向に突出させることによって巻線との接続部が形成されたバスリングでは、巻線の端部との回転軸線方向の接続位置を調節できないので、各相のバスリングをロータの回転軸線方向に並列配置した場合、各相のバスリングの接続部における巻線の端部との接続位置がロータの回転軸線方向で異なり、接続部と巻線の端部との接続作業が煩雑になるという問題があった。
【０００８】
そこで、本発明は、巻線との接続に接続端子を用いることなく、かつバスリングと巻線とを容易に接続することが可能な集中配電部材を提供することを目的とする。
【課題を解決するための手段】
【０００９】
本発明は、上記課題を解決することを目的として、ロータを回転させる磁界を発生するステータの各相の巻線と電気的に接続される複数のバスリングを備え、前記複数のバスリングが互いに前記ロータの回転軸線方向に並列配置された集中配電部材であって、前記複数のバスリングは、中性相バスリングを含み、前記複数のバスリングはそれぞれ、周方向に設けられた複数の円弧部と、前記複数の円弧部の間において径方向の一側に突出した複数の巻線接続部とが、線状の導電部材を屈曲することによって一体に形成され、前記中性相バスリングは、前記複数の巻線接続部がそれぞれ、前記複数の円弧部における隣り合う円弧部の各端部から前記径方向の一側に延在する一対の径方向延在部と、前記一対の径方向延在部の先端部間を連結する連結部とからなり、前記一対の径方向延在部の間に前記巻線の一端部が挿通され、前記複数のバスリングのうち前記中性相バスリングを除く他の複数のバスリングは、前記複数の巻線接続部がそれぞれ、前記複数の円弧部における隣り合う円弧部の各端部から前記径方向の一側に延在する一対の第１径方向延在部と、前記一対の第１径方向延在部に対して前記回転軸線方向にずれた位置で前記径方向の一側に延在する一対の第２径方向延在部と、前記第１及び第２径方向延在部の間に介在する一対の介在部と、前記一対の第２径方向延在部の先端部間を連結する連結部とからなり、前記一対の第２径方向延在部の間に前記巻線の他端部が挿通され、前記他の複数のバスリングの前記複数の巻線接続部における前記一対の介在部は、前記一対の第２径方向延在部の位置が前記回転軸線方向において前記中性相バスリングの前記複数の巻線接続部における前記一対の径方向延在部の位置に揃うように、その長さがそれぞれ異なる集中配電部材を提供する。
【発明の効果】
【００１０】
本発明に係る集中配電部材によれば、巻線との接続に接続端子を用いることなく、かつバスリングと巻線とを容易に接続することが可能となる。
【図面の簡単な説明】
【００１１】
【図１】本発明の第１の実施の形態に係る集配電リングを備える電動機の概略構成について説明する模式図である。
【図２】ステータに保持された集配電リングを回転軸線方向から見た平面図である。
【図３】（ａ）は中性相バスリングの巻線接続部を示す斜視図、（ｂ）は第３のバスリングの巻線接続部を示す斜視図である。
【図４】集配電リングの断面図であり、（ａ）は中性相バスリングにおける巻線接続部の構成、（ｂ）は第１のバスリングにおける巻線接続部の構成、（ｃ）は第２のバスリングにおける巻線接続部の構成、（ｄ）は第３のバスリングにおける巻線接続部の構成についてそれぞれ示す。
【図５】中性相バスリングの巻線接続部とＵ相の巻線の一端部との接続方法を示す説明図である。
【図６】本発明の第２の実施の形態に係る集配電リングにおける第３のバスリングの巻線接続部を示す斜視図である。
【図７】第２の実施の形態に係る集配電リングの断面図であり、（ａ）は中性相バスリングにおける巻線接続部の構成、（ｂ）は第１のバスリングにおける巻線接続部の構成、（ｃ）は第２のバスリングにおける巻線接続部の構成、（ｄ）は第３のバスリングにおける巻線接続部の構成についてそれぞれ示す。
【発明を実施するための形態】
【００１２】
［第１の実施の形態］
本発明の第１の実施の形態に係る集中配電部材を備えた電動機は、例えば電気自動車又はハイブリッド車における走行用の駆動源として用いられる。
【００１３】
（電動機の構成）
この電動機１の構成について、図１乃至図５を参照して説明する。
【００１４】
図１は、本発明の第１の実施の形態に係る集配電リング４を備える電動機１の概略構成について説明する模式図である。
【００１５】
電動機１は、環状に配置された複数の磁性体コア３１に各相の巻線３２を巻き回してなるステータ３と、ステータ３に対して回転するロータ２と、ロータ２の回転軸線Ｏ方向に沿って並列配置された中性相バスリング４０及び第１乃至第３のバスリング４１〜４３を有する集中配電部材としての集配電リング４とを備えている。各相の巻線３２は、ロータ２を回転させる磁界を発生させる。
【００１６】
ロータ２は、図略の軸受によってステータ３と同軸（回転軸線Ｏ）上で回転可能に支持されたシャフト２１と、シャフト２１の外周面に固定されて、その周方向に沿ってＮ極及びＳ極が着磁された円筒状の磁石２２とを有している。
【００１７】
本実施の形態では、２４個の磁性体コア３１が、ロータ２の回転軸線Ｏを中心として環状に配置されている。これら２４個の磁性体コア３１は、８個のＵ相磁性体コア３１Ｕ、８個のＶ相磁性体コア３１Ｖ、及び８個のＷ相磁性体コア３１Ｗから構成され、ロータ２の回転方向Ｒに沿って、Ｕ相磁性体コア３１Ｕの隣にＶ相磁性体コア３１Ｖが、Ｖ相磁性体コア３１Ｖの隣にＷ相磁性体コア３１Ｗが、Ｗ相磁性体コア３１Ｗの隣にＵ相磁性体コア３１Ｕが、それぞれ配置されている。なお、本実施の形態では、複数（２４個）の磁性体コア３１が環状に配置されているものを用いているが、これに限らず、例えばこれら複数の磁性体コア３１が一体となった環状体を用いることも可能である。
【００１８】
Ｕ相の磁性体コア３１Ｕには、巻線３２としてＵ相の巻線３２Ｕが巻き回され、Ｕ相の巻線３２Ｕに対して第１のバスリング４１により集配電（集電及び配電）が行われる。Ｖ相の磁性体コア３１Ｖには、巻線３２としてＶ相の巻線３２Ｖが巻き回され、Ｖ相の巻線３２Ｖに対して第２のバスリング４２により集配電が行われる。Ｗ相の磁性体コア３１Ｗには、巻線３２としてＷ相の巻線３２Ｗが巻き回され、Ｗ相の巻線３２Ｗに対して第３のバスリング４３により集配電が行われる。
【００１９】
Ｕ相の巻線３２Ｕは、一端部３２１Ｕが中性相バスリング４０に、他端部３２２Ｕが第１のバスリング４１に、それぞれ電気的に接続されている。Ｖ相の巻線３２Ｖは、一端部３２１Ｖが中性相バスリング４０に、他端部３２２Ｖが第２のバスリング４２に、それぞれ電気的に接続されている。Ｗ相の巻線３２Ｗは、一端部３２１Ｗが中性相バスリング４０に、他端部３２２Ｗが第３のバスリング４３に、それぞれ電気的に接続されている。すなわち、中性相バスリング４０には、Ｕ相、Ｖ相、及びＷ相の巻線３２Ｕ，３２Ｖ，３２Ｗの一端部３２１Ｕ，３２１Ｖ，３２１Ｗが電気的に接続されている。
【００２０】
第１乃至第３のバスリング４１〜４３には、それぞれ給電端子４１０，４２０，４３０が接続され、この給電端子４１０，４２０，４３０を介して図略のインバータから１２０°ずつ位相がずれた正弦波状の駆動電流が供給される。この駆動電流によってステータ３に回転磁界が形成され、磁石２２がこの回転磁界による吸引力及び反発力により回転力を受けてロータ２のシャフト２１をその回転軸線Ｏを中心として回転させる。
【００２１】
（集配電リングの構成）
次に、集配電リング４の構成について、図２を参照して説明する。
【００２２】
図２は、ステータ３に保持された集配電リング４をロータ２の回転軸線Ｏ方向から見た平面図である。なお、以下の説明において、ロータ２の回転軸線Ｏのことを単に「回転軸線Ｏ」とする。例えば、ロータ２の回転軸線Ｏ方向は、単に「回転軸線Ｏ方向」とする。
【００２３】
集配電リング４（中性相バスリング４０及び第１乃至第３のバスリング４１〜４３）は、回転軸線Ｏ方向にステータ３と並列配置されると共に、ステータ３に保持されている。
【００２４】
中性相バスリング４０は、周方向に設けられた複数の円弧部４０ａと、複数（本実施の形態では２４個）の円弧部４０ａの間において径方向の内側に突出した複数（本実施の形態では２４個）の巻線接続部４０ｂとが、線状の導電部材を屈曲することによって一体に形成されている。
【００２５】
同様にして、第１のバスリング４１は、その周方向に設けられた複数（本実施の形態では８個）の円弧部４１ａと、複数（本実施の形態では８個）の巻線接続部４１ｂとが、第２のバスリング４２は、その周方向に設けられた複数（本実施の形態では８個）の円弧部４２ａと、複数（本実施の形態では８個）の巻線接続部４２ｂとが、第３のバスリング４３は、その周方向に設けられた複数（本実施の形態では８個）の円弧部４３ａと、複数（本実施の形態では８個）の巻線接続部４３ｂとが、それぞれ線状の導電部材を屈曲することによって一体に形成されている。
【００２６】
なお、図２では、集配電リング４を回転軸線Ｏ方向から見ているため、中性相バスリング４０及び第１乃至第３のバスリング４１〜４３における複数の円弧部４０ａ，４１ａ，４２ａ，４３ａは重なり合っており、回転軸線Ｏ方向においてステータ３と反対側に配置された中性相バスリング４０の複数の円弧部４０ａのみが示されている。
【００２７】
本実施の形態では、中性相バスリング４０及び第１乃至第３のバスリング４１〜４３を構成する導電部材は、例えば銅等の良導電性の金属からなり、表面に錫メッキが施された中心導体４ａを、例えば樹脂からなる絶縁体４ｂで被覆した絶縁電線を用いている。
【００２８】
また、第１乃至第３のバスリング４１〜４３の各両端部では、絶縁体４ｂから中心導体４ａが露出し、この露出した中心導体４ａに給電端子４１０，４２０，４３０が圧着又は加締めによりそれぞれ接続されている。
【００２９】
中性相バスリング４０の複数の巻線接続部４０ｂ、第１のバスリング４１の複数の巻線接続部４１ｂ、第２のバスリング４２の複数の巻線接続部４２ｂ、及び第３のバスリング４３の複数の巻線接続部４３ｂは、中性相バスリング４０及び第１乃至第３のバスリング４１〜４３を回転軸線Ｏ方向に並列配置した状態で周方向の間隔が等しくなるように設定されている。なお、「間隔がそれぞれ等しくなるように設定されている」とは、完全に等しくなくてもよく、例えば、０．１ｍｍ〜２．０ｍｍ程度ずれていてもよい。
【００３０】
また、中性相バスリング４０及び第１乃至第３のバスリング４１〜４３は、各巻線接続部４０ｂ，４１ｂ，４２ｂ，４３ｂが周方向の一方向に沿って第１のバスリング４１の巻線接続部４１ｂ、中性相バスリング４０の巻線接続部４０ｂ、第２のバスリング４２の巻線接続部４２ｂ、中性相バスリング４０の巻線接続部４０ｂ、第３の巻線接続部４３ｂ、中性相バスリング４０の巻線接続部４０ｂの順に並んで配置されている。
【００３１】
（巻線接続部の構成）
次に、中性相バスリング４０及び第１乃至第３のバスリング４１〜４３の各巻線接続部４０ｂ，４１ｂ，４２ｂ，４３ｂの構成について、図３及び図４を参照して説明する。
【００３２】
図３（ａ）は、中性相バスリング４０の巻線接続部４０ｂを示す斜視図、図３（ｂ）は、第３のバスリング４３の巻線接続部４３ｂを示す斜視図である。図４は、集配電リング４の断面図であり、図４（ａ）は、中性相バスリング４０における巻線接続部４０ｂの構成、図４（ｂ）は第１のバスリング４１における巻線接続部４１ｂの構成、図４（ｃ）は第２のバスリング４２における巻線接続部４２ｂの構成、図４（ｄ）は第３のバスリング４３における巻線接続部４３ｂの構成についてそれぞれ示す。
【００３３】
なお、図４（ａ）乃至（ｄ）において、Ｕ相、Ｖ相、及びＷ相の巻線３２Ｕ，３２Ｖ，３２Ｗの一端部３２１Ｕ，３２１Ｖ，３２１Ｗ、ならびに他端部３２２Ｕ，３２２Ｖ，３２２Ｗを仮想線（二点鎖線）で示している。
【００３４】
以下の説明において、中性相バスリング４０及び第１乃至第３のバスリング４１〜４３の径方向のことを単に「径方向」とする。
【００３５】
（中性相バスリングの巻線接続部の構成）
図３（ａ）に示すように、中性相バスリング４０は、複数の巻線接続部４０ｂがそれぞれ、隣り合う円弧部４０ａの各端部から径方向内側に延在する一対の径方向延在部４０１と、一対の径方向延在部４０１の先端部間を連結する連結部４０２とからなる。
【００３６】
複数の巻線接続部４０ｂはそれぞれ、一対の径方向延在部４０１における円弧部４０ａ側の端部において絶縁体４ｂが除去されて中心導体４ａが露出している。
【００３７】
図４（ａ）に示すように、一対の径方向延在部４０１の間には、Ｕ相、Ｖ相、及びＷ相の巻線３２Ｕ，３２Ｖ，３２Ｗの一端部３２１Ｕ，３２１Ｖ，３２１Ｗのうちいずれかが挿通される。そして、例えば熱加締め（ヒュージング）により巻線接続部４０ｂとＵ相、Ｖ相、及びＷ相の巻線３２Ｕ，３２Ｖ，３２Ｗの一端部３２１Ｕ，３２１Ｖ，３２１Ｗのうちいずれかの一端部とが電気的に接続される。
【００３８】
第１乃至第３のバスリング４１〜４３の各巻線接続部４１ｂ，４２ｂ，４３ｂは共に、以下に説明する一対の第１径方向延在部、一対の第２径方向延在部、一対の介在部、及び連結部を有して構成されているため、図３（ｂ）では第３のバスリング４３の巻線接続部４３ｂを例にとって図示している。
【００３９】
（第３のバスリングの巻線接続部の構成）
図３（ｂ）に示すように、第３のバスリング４３は、複数の巻線接続部４３ｂがそれぞれ、隣り合う円弧部４３ａの各端部から径方向内側に延在する一対の第１径方向延在部４３１と、一対の第１径方向延在部４３１に対して回転軸線Ｏに平行な方向にずれた位置で径方向内側に延在する一対の第２径方向延在部４３２と、第１及び第２径方向延在部４３１，４３２の間に介在する一対の介在部４３３と、一対の第２径方向延在部４３２の先端部を連結する連結部４３４とからなる。
【００４０】
一対の介在部４３３は、第１径方向延在部４３１の径方向内側の端部と第２径方向延在部４３２の径方向外側の端部との間に介在している。また、複数の巻線接続部４３ｂはそれぞれ、一対の第１径方向延在部４３１における円弧部４３ａ側の端部において絶縁体４ｂが除去され、中心導体４ａが露出している。
【００４１】
図４（ｄ）に示すように、一対の第２径方向延在部４３２の間には、Ｗ相の巻線３２Ｗの他端部３２２Ｗが挿通され、中性相バスリング４０の場合と同様に、例えば熱加締め（ヒュージング）により巻線接続部４３ｂとＷ相の巻線３２Ｗの他端部３２２Ｗとが電気的に接続される。
【００４２】
（第１のバスリングの巻線接続部の構成）
同様に、第１のバスリング４１は、図４（ｂ）に示すように、複数の巻線接続部４１ｂがそれぞれ、隣り合う円弧部４１ａの各端部から径方向内側に延在する一対の第１径方向延在部４１１と、一対の第１径方向延在部４１１に対して回転軸線Ｏに平行な方向にずれた位置で径方向内側に延在する一対の第２径方向延在部４１２と、第１及び第２径方向延在部４１１，４１２の間に介在する一対の介在部４１３と、一対の第２径方向延在部４１２の先端部を連結する連結部４１４とからなる。
【００４３】
一対の介在部４１３は、第１径方向延在部４１１の径方向内側の端部と第２径方向延在部４１２の径方向外側の端部との間に介在している。また、複数の巻線接続部４１ｂはそれぞれ、一対の第１径方向延在部４１１における円弧部４１ａ側の端部において絶縁体４ｂが除去され、中心導体４ａが露出している。
【００４４】
図４（ｂ）に示すように、一対の第２径方向延在部４１２の間には、Ｕ相の巻線３２Ｕの他端部３２２Ｕが挿通された状態で、巻線接続部４１ｂとＵ相の巻線３２Ｕの他端部３２２Ｕとが電気的に接続される。
【００４５】
（第２のバスリングの巻線接続部の構成）
また同様に、第２のバスリング４２は、図４（ｃ）に示すように、複数の巻線接続部４２ｂがそれぞれ、隣り合う円弧部４２ａの各端部から径方向内側に延在する一対の第１径方向延在部４２１と、一対の第１径方向延在部４２１に対して回転軸線Ｏに平行な方向にずれた位置で径方向内側に延在する一対の第２径方向延在部４２２と、第１及び第２径方向延在部４２１，４２２の間に介在する一対の介在部４２３と、一対の第２径方向延在部４２２の先端部を連結する連結部４２４とからなる。
【００４６】
一対の介在部４２３は、第１径方向延在部４２１の径方向内側の端部と第２径方向延在部４２２の径方向外側の端部との間に介在している。また、複数の巻線接続部４２ｂはそれぞれ、一対の第１径方向延在部４２１における円弧部４２ａ側の端部において絶縁体４ｂが除去され、中心導体４ａが露出している。
【００４７】
図４（ｃ）に示すように、一対の第２径方向延在部４２２の間には、Ｖ相の巻線３２Ｖの他端部３２２Ｖが挿通された状態で、巻線接続部４２ｂとＶ相の巻線３２Ｖの他端部３２２Ｖとが電気的に接続される。
【００４８】
（巻線接続部と巻線との接続位置）
図４（ａ）乃至（ｄ）に示すように、第１乃至第３のバスリング４１〜４３における一対の介在部４１３，４２３，４３３は、一対の第２径方向延在部４１２，４２２，４３２の位置が、回転軸線Ｏ方向において中性相バスリング４０における一対の径方向延在部４０１の位置に揃うように、その長さがそれぞれ異なっている。換言すれば、第１乃至第３のバスリング４１〜４３における一対の介在部４１３，４２３，４３３の回転軸線Ｏ方向の長さがそれぞれ異なることにより、一対の第２径方向延在部４１２，４２２，４３２の回転軸線Ｏ方向における位置が中性相バスリング４０の一対の径方向延在部４０１の位置に揃っている。
【００４９】
また、本実施の形態では、第１乃至第３のバスリング４１〜４３における一対の介在部４１３，４２３，４３３は、回転軸線Ｏに対して傾斜しており、それぞれの傾斜角が異なっている。より具体的には、第１乃至第３のバスリング４１〜４３における一対の介在部４１３，４２３，４３３は、第１のバスリング４１における一対の介在部４１３、第２のバスリング４２における一対の介在部４２３、第３のバスリング４３における一対の介在部４３３の順に、回転軸線Ｏに対する傾斜角が大きくなっている。
【００５０】
（巻線接続部と巻線との接続方法）
次に、中性相バスリング４０及び第１乃至第３のバスリング４１〜４３の各巻線接続部４０ｂ，４１ｂ，４２ｂ，４３ｂと各相の巻線３２Ｕ，３２Ｖ，３２Ｗとの接続方法について、図５を参照して説明する。
【００５１】
図５は、中性相バスリング４０の巻線接続部４０ｂとＵ相の巻線３２Ｕの一端部３２１Ｕとの接続方法を示す説明図である。
【００５２】
本実施の形態では、中性相バスリング４０及び第１乃至第３のバスリング４１〜４３の各巻線接続部４０ｂ，４１ｂ，４２ｂ，４３ｂと各相の巻線３２Ｕ，３２Ｖ，３２Ｗとの接続が、熱加締め（ヒュージング）によって行われる。
【００５３】
中性相バスリング４０及び第１乃至第３のバスリング４１〜４３の各巻線接続部４０ｂ，４１ｂ，４２ｂ，４３ｂと各相の巻線３２Ｕ，３２Ｖ，３２Ｗとの接続方法は全て同様であるため、中性相バスリング４０の巻線接続部４０ｂとＵ相の巻線３２Ｕの一端部３２１Ｕとの接続方法を例にとって説明する。
【００５４】
中性相バスリング４０をステータ３に装着すると、Ｕ相の巻線３２Ｕの一端部３２１Ｕが一対の径方向延在部４０１の間に配置される。すなわち、Ｕ相の巻線３２Ｕの一端部３２１Ｕは、巻線接続部４０ｂに挿通された状態となる。
【００５５】
次に、図５に示すように、正電極５１を一方の径方向延在部４０１に、負電極５２を他方の径方向延在部４０１に、それぞれ接触させる。そして、正電極５１及び負電極５２によって一対の径方向延在部４０１をＵ相の巻線３２Ｕの一端部３２１Ｕに押し付けながら、正電極５１と負電極５２との間に直流電圧を印加する。
【００５６】
すると、正電極５１から一方の径方向延在部４０１、Ｕ相の巻線３２Ｕの一端部３２１Ｕ、他方の径方向延在部４０１を介して負電極５２に直流電流が流れ、そのジュール熱によって巻線接続部４０ｂの表面にメッキされた錫が溶融し、続いて一対の径方向延在部４０１におけるＵ相の巻線３２Ｕの一端部３２１Ｕの近傍が溶融する。これにより、中性相バスリング４０の巻線接続部４０ｂとＵ相の巻線３２Ｕの一端部３２１Ｕとが電気的に接続される。
【００５７】
なお、第１乃至第３のバスリング４１〜４３では、一対の第２径方向延在部４１２，４２２，４３２と各相の巻線３２Ｕ，３２Ｖ，３２Ｗの他端部３２２Ｕ，３２２Ｖ，３２２Ｗとが溶融して接続される。
【００５８】
この熱加締めの作業を行う際、中性相バスリング４０の一対の径方向延在部４０１、及び第１乃至第３のバスリング４１〜４３の一対の第２径方向延在部４１２，４２２，４３２の回転軸線Ｏに平行な方向における位置が揃っているため、正電極５１及び負電極５２を回転軸線Ｏに平行な方向に移動させる必要がない。
【００５９】
また、この熱加締めによって、一対の径方向延在部４０１の先端部間の距離が狭くなるが、この距離の変化は、中性相バスリング４０の径方向に対する一対の径方向延在部４０１の傾きが変化することによって吸収される。つまり、熱加締め後において、中性相バスリング４０の円弧部４０ａ同士は互いに接触せず、熱加締めによって中性相バスリング４０が縮径してしまうことが抑制されている。
【００６０】
また同様に、第１乃至第３のバスリング４１〜４３においても、熱加締めによって一対の第２径方向延在部４１２，４２２，４３２間の距離が狭くなるが、この距離の変化は、一対の介在部４１３，４２３，４３３の傾きが変化することによって吸収される。つまり、熱加締め後において、第１のバスリング４１の円弧部４１ａ同士、第２のバスリング４２の円弧部４２ａ同士、及び第３のバスリング４３の円弧部４３ａ同士は互いに接触せず、熱加締めによって第１乃至第３のバスリング４１〜４３が縮径してしまうことが抑制されている。
【００６１】
（第１の実施の形態の作用及び効果）
以上説明した第１の実施の形態によれば、以下のような作用及び効果が得られる。
【００６２】
第１乃至第３のバスリング４１〜４３の複数の巻線接続部４１ｂ，４２ｂ，４３ｂそれぞれにおける一対の介在部４１３，４２３，４３３は、回転軸線Ｏに平行な方向の長さがそれぞれ異なり、回転軸線Ｏに平行な方向において一対の第２径方向延在部４１２，４２２，４３２の位置が中性相バスリング４０の複数の巻線接続部４０ｂそれぞれにおける一対の径方向延在部４０１の位置に揃うため、Ｕ相、Ｖ相、及びＷ相の巻線３２Ｕ，３２Ｖ，３２Ｗの各端部と巻線接続部４０ｂ，４１ｂ，４２ｂ，４３ｂそれぞれとを熱加締めにより電気的に接続する際の作業を容易にすることができる。
【００６３】
また、一対の介在部を有していない１つのバスリングが中性相バスリング４０であるため、すなわち巻線接続部４０ｂの数がもっとも多い中性相バスリング４０に一対の介在部を設ける必要がないため、導電部材の屈曲作業時の負担を軽減することができる。
【００６４】
［第２の実施の形態］
次に、本発明の第２の実施の形態について、図６及び図７を参照して説明する。
【００６５】
図６は、本発明の第２の実施の形態に係る集配電リング４における第３のバスリング４３の巻線接続部４３ｂを示す斜視図である。図７は、第２の実施の形態に係る集配電リング４の断面図であり、図７（ａ）は、中性相バスリング４０における巻線接続部４０ｂの構成、図７（ｂ）は、第１のバスリング４１における巻線接続部４１ｂの構成、図７（ｃ）は、第２のバスリング４２における巻線接続部４２ｂの構成、図７（ｄ）は第３のバスリング４３における巻線接続部４３ｂの構成についてそれぞれ示す。
【００６６】
なお、図７（ａ）乃至（ｄ）において、Ｕ相、Ｖ相、及びＷ相の巻線３２Ｕ，３２Ｖ，３２Ｗの一端部３２１Ｕ，３２１Ｖ，３２１Ｗ、ならびに他端部３２２Ｕ，３２２Ｖ，３２２Ｗを仮想線（二点鎖線）で示している。
【００６７】
図６及び図７において、第１の実施の形態について説明したものと実質的に同一の機能を有する構成要素については、共通する符号を付してその重複した説明を省略する。
【００６８】
本実施の形態における第１乃至第３のバスリング４１〜４３は、複数の巻線接続部４１ｂ，４２ｂ，４３ｂそれぞれにおける一対の介在部４１３Ａ，４２３Ａ，４３３Ａの形状が、第１の実施の形態における一対の介在部４１３，４２３，４３３の形状と異なり、その他の構成については、第１の実施の形態と同様である。
【００６９】
より具体的には、本実施の形態では、第１乃至第３のバスリング４１〜４３における複数の巻線接続部４１ｂ，４２ｂ，４３ｂはそれぞれ、一対の第２径方向延在部４１２，４２２，４３２が回転軸線Ｏ方向において中性相バスリング４０の一対の径方向延在部４０１の位置に揃うように、一対の介在部４１３Ａ，４２３Ａ，４３３Ａが回転軸線Ｏ方向に沿って延伸している。すなわち、第１乃至第３のバスリング４１〜４３における一対の介在部４１３Ａ，４２３Ａ，４３３Ａは、一対の第２径方向延在部４１２，４２２，４３２の回転軸線Ｏ方向における位置が中性相バスリング４０の一対の径方向延在部４０１の位置に揃うように、その長さがそれぞれ異なっている。また、第１の実施の形態における一対の介在部４１３，４２３，４３３と異なり、一対の介在部４１３Ａ，４２３Ａ，４３３Ａは、回転軸線Ｏ方向に対して傾斜していない。
【００７０】
またさらに、第１乃至第３のバスリング４１〜４３において、熱加締めによる一対の第２径方向延在部４１２，４２２，４３２間の距離の変化は、回転軸線Ｏ方向に対する一対の介在部４１３Ａ，４２３Ａ，４３３Ａの傾きが変化することによって吸収され、熱加締め後において、第１のバスリング４１の円弧部４１ａ同士、第２のバスリング４２の円弧部４２ａ同士、及び第３のバスリング４３の円弧部４３ａ同士は互いに接触せず、熱加締めによって第１乃至第３のバスリング４１〜４３が縮径してしまうことが抑制される。
【００７１】
これにより、第１乃至第３のバスリング４１〜４３は、第１の実施の形態よりも、径方向の寸法を小さくすることができ、集配電リング４の小型化につながる。
【００７２】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００７３】
［１］ロータ（２）を回転させる磁界を発生するステータ（３）の各相の巻線（３２Ｕ，３２Ｖ，３２Ｗ）と電気的に接続される複数のバスリング（中性相バスリング４０及び第１乃至第３のバスリング４１〜４３）を備え、中性相バスリング（４０）及び第１乃至第３のバスリング（４１〜４３）が互いにロータ（２）の回転軸線Ｏ方向に並列配置された集中配電部材（集配電リング４）であって、中性相バスリング（４０）及び第１乃至第３のバスリング（４１〜４３）はそれぞれ、周方向に設けられた複数の円弧部（４０ａ，４１ａ，４２ａ，４３ａ）と、複数の円弧部（４０ａ，４１ａ，４２ａ，４３ａ）の間において径方向の一側に突出した複数の巻線接続部（４０ｂ，４１ｂ，４２ｂ，４３ｂ）とが、線状の導電部材を屈曲することによって一体に形成され、中性相バスリング（４０）及び第１乃至第３のバスリング（４１〜４３）のうち１つのバスリング（中性相バスリング４０）は、複数の巻線接続部（４０ｂ）がそれぞれ、複数の円弧部（４０ａ）における隣り合う円弧部（４０ａ）の各端部から径方向の一側に延在する一対の径方向延在部（４０１）と、一対の径方向延在部（４０１）の先端部間を連結する連結部（４０２）とからなり、一対の径方向延在部（４０１）の間に巻線（３２）の一端部（３２１Ｕ，３２１Ｖ，３２１Ｗ）が挿通され、第１乃至第３のバスリング（４１〜４３）のうち中性相バスリング（４０）を除く他のバスリング（第１乃至第３のバスリング４１〜４３）は、複数の巻線接続部（４１ｂ，４２ｂ，４３ｂ）がそれぞれ、複数の円弧部（４１ａ，４２ａ，４３ａ）における隣り合う円弧部（４１ａ，４２ａ，４３ａ）の各端部から径方向の一側に延在する一対の第１径方向延在部（４１１，４２１，４３１）と、一対の第１径方向延在部（４１１，４２１，４３１）に対して回転軸線Ｏに平行な方向にずれた位置で径方向の一側に延在する一対の第２径方向延在部（４１２，４２２，４３２）と、第１及び第２径方向延在部（４１１，４２１，４３１，４１２，４２２，４３２）の間に介在する一対の介在部（４１３，４２３，４３３）と、一対の第２径方向延在部（４１２，４２２，４３２）の先端部間を連結する連結部（４１４，４２４，４３４）とからなり、一対の第２径方向延在部（４１２，４２２，４３２）の間に巻線（３２）の他端部（３２２Ｕ，３２２Ｖ，３２２Ｗ）が挿通され、第１乃至第３のバスリング（４１〜４３）の複数の巻線接続部（４１ｂ，４２ｂ，４３ｂ）における一対の介在部（４１３，４２３，４３３）は、一対の第２径方向延在部（４１２，４２２，４３２）の位置が回転軸線Ｏ方向において中性相バスリング（４０）の複数の巻線接続部（４０ｂ）における一対の径方向延在部（４０１）の位置に揃うように、その長さがそれぞれ異なる集中配電部材（集配電リング４）。
【００７４】
［２］第１乃至第３のバスリング（４１〜４３）における複数の巻線接続部（４１ｂ，４２ｂ，４３ｂ）はそれぞれ、一対の介在部（４１３，４２３，４３３）が回転軸線Ｏ方向に対して傾斜している、［１］に記載の集中配電部材（集配電リング４）。
【００７５】
［３］第１乃至第３のバスリング（４１〜４３）における複数の巻線接続部（４１ｂ，４２ｂ，４３ｂ）はそれぞれ、一対の介在部（４１３，４２３，４３３）が回転軸線Ｏに平行な方向に延伸している、［１］に記載の集中配電部材（集配電リング４）。
【００７６】
［４］中性相バスリング（４０）及び第１乃至第３のバスリング（４１〜４３）のうち１つのバスリングは、中性相バスリング（４０）である、［１］乃至［３］の何れか１項に記載の集中配電部材（集配電リング４）。
【００７７】
［５］中性相バスリング（４０）及び第１乃至第３のバスリング（４１〜４３）は、複数の巻線接続部（４０ｂ，４１ｂ，４２ｂ，４３ｂ）のそれぞれに巻線（３２）が挿通された状態で熱加締めされることにより巻線（３２）と電気的に接続される、［１］乃至［４］の何れか１項に記載の集中配電部材（集配電リング４）。
【００７８】
中性相バスリング（４０）及び第１乃至第３のバスリング（４１〜４３）は、前記熱加締め後に、前記巻線接続部（４０ｂ，４１ｂ，４２ｂ，４３ｂ）を挟む円弧部（４０ａ，４１ａ，４２ａ，４３ａ）同士が接触しない、［５］に記載の集中配電部材（集配電リング４）。
【００７９】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００８０】
本発明は、その趣旨を逸脱しない範囲で適宜変形して実施することが可能である。例えば、上記実施の形態では、第１乃至第３のバスリング４１〜４３は、中心導体４ａが絶縁体４ｂで被覆されていたが、これに限らず、例えば絶縁体４ｂを有しない単線導体であってもよい。
【００８１】
また、上記実施の形態では、中性相バスリング４０及び第１乃至第３のバスリング４１〜４３は、複数の巻線接続部４０ｂ，４１ｂ，４２ｂ，４３ｂが径方向内側に突出していたが、これに限らず、複数の巻線接続部４０ｂ，４１ｂ，４２ｂ，４３ｂが径方向外側に突出していてもよい。
【００８２】
また、上記実施の形態では、中性相バスリング４０における複数の巻線接続部４０ｂの位置を基準として第１乃至第３のバスリングにおける複数の巻線接続部４１ｂ，４２ｂ，４３ｂの位置を揃えていたが、これに限らず、中性相バスリング４０及び第１乃至第３のバスリング４１〜４３のうちいずれか１つのバスリングの位置を基準にすればよい。
【符号の説明】
【００８３】
２…ロータ
３…ステータ
４…集配電リング（集中配電部材）
３１，３１Ｕ，３１Ｖ，３１Ｗ…磁性体コア
３２，３２Ｕ，３２Ｖ，３２Ｗ…巻線
４０…中性相バスリング
４０ａ，４１ａ，４２ａ，４３ａ…円弧部
４０ｂ，４１ｂ，４２ｂ，４３ｂ…巻線接続部
４１〜４３…第１乃至第３のバスリング
３２１Ｕ，３２１Ｖ，３２１Ｗ…一端部
３２２Ｕ，３２２Ｖ，３２２Ｗ…他端部
４０１…径方向延在部
４０２…連結部
４１１，４２１，４３１…第１径方向延在部
４１２，４２２，４３２…第２径方向延在部
４１３，４２３，４３３，４１３Ａ，４２３Ａ，４３３Ａ…介在部
４１４，４２４，４３４…連結部
【図１】
0006408800.tif 000002
【図２】
0006408800.tif 000003
【図３】
0006408800.tif 000004
【図４】
0006408800.tif 000005
【図５】
0006408800.tif 000006
【図６】
0006408800.tif 000007
【図７】
0006408800.tif 000008